(57)【要約】      （修正有）【課題】ダイシング時に、接着体が膨らむ、または接着体が大量に残留するなどの問題を回避できる、リードフレームアセンブリおよびそのリードフレームを提供する。【解決手段】リードフレーム１は、複数のコンタクト部１２ａ，１２ｂと、ランナー部と、複数の連結部１３とを有している。ランナー部はセグメント１１２，１１６または１１７とセグメント１１２，１１６または１１７を画成する少なくとも一つの開口部とを有している。各連結部１３は少なくとも一つのコンタクト部１２ａ，１２ｂに接続されており、このうち前記複数の連結部は延在して前記少なくとも一つの開口部およびセグメント１１２，１１６または１１７を通過する方向で配列されており、かつセグメント１１２，１１６または１１７の前記方向での寸法が２．７ｍｍ未満である。【選択図】図３
0003185995.tif 000002
【実用新案登録請求の範囲】
【請求項１】
複数のコンタクト部と、
セグメントと前記セグメントを画成する少なくとも一つの開口部とを有しているランナー部と、
それぞれが前記複数のコンタクト部のうちの少なくとも一つに接続されている複数の連結部であり、前記複数の連結部は延在して前記少なくとも一つの開口部および前記セグメントを通過する方向で配列されており、かつ前記セグメントの前記方向での寸法が２．７ｍｍ未満である複数の連結部と、
を有している、リードフレーム。
【請求項２】
前記セグメントの前記方向での前記寸法が２．５ｍｍ未満である、請求項１に記載のリードフレーム。
【請求項３】
前記セグメントの前記方向での前記寸法が２ｍｍ未満である、請求項１に記載のリードフレーム。
【請求項４】
前記セグメントの前記方向での前記寸法が１ｍｍ未満である、請求項１に記載のリードフレーム。
【請求項５】
前記セグメントの前記方向での前記寸法が前記ランナー部の厚さ以上である、請求項１に記載のリードフレーム。
【請求項６】
前記セグメントが前記ランナー部の外側縁部または内側縁部に隣接しており、一部の前記複数のコンタクト部が前記内側縁部に接続している、請求項１ないし５のいずれか一項に記載のリードフレーム。
【請求項７】
前記少なくとも一つの開口部は長手方向で前記方向に延在している長尺穴、前記ランナー部の長手方向で延在しているランナー穴または前記方向で配列されている複数の開口を有している、請求項６に記載のリードフレーム。
【請求項８】
前記少なくとも一つの開口部は長手方向で前記方向に延在している長尺穴、前記ランナー部の長手方向で延在しているランナー穴または前記方向で配列されている複数の開口を有している、請求項１に記載のリードフレーム。
【請求項９】
リードフレームと、
前記リードフレームと固接されている接着体と、を備えたリードフレームアセンブリであって、前記リードフレームが、
セグメントと前記セグメントを画成する少なくとも一つの開口部とを有しているランナー部と、
複数のコンタクト部と、
それぞれが前記複数のコンタクト部のうちの少なくとも一つに接続されている複数の連結部であり、前記複数の連結部は延在して前記少なくとも一つの開口部および前記セグメントを通過する方向で配列されており、かつ前記セグメントの前記方向での寸法が２．７ｍｍ未満である複数の連結部と、
を有している、リードフレームアセンブリ。
【請求項１０】
前記セグメントの前記方向での前記寸法が２．５ｍｍ未満である、請求項９に記載のリードフレームアセンブリ。
【請求項１１】
前記セグメントの前記方向での前記寸法が２ｍｍ未満である、請求項９に記載のリードフレームアセンブリ。
【請求項１２】
前記セグメントの前記方向での前記寸法が１ｍｍ未満である、請求項９に記載のリードフレームアセンブリ。
【請求項１３】
前記セグメントの前記方向での前記寸法が前記ランナー部の厚さ以上である、請求項９に記載のリードフレームアセンブリ。
【請求項１４】
前記セグメントが前記ランナー部の外側縁部、前記ランナー部の内側縁部または前記接着体に隣接しており、一部の前記複数のコンタクト部が前記内側縁部に接続している、請求項９ないし１３のいずれか一項に記載のリードフレームアセンブリ。
【請求項１５】
前記少なくとも一つの開口部は長手方向で前記方向に延在している長尺穴、前記ランナー部の長手方向で延在しているランナー穴または前記方向で配列されている複数の開口を有している、請求項１４に記載のリードフレームアセンブリ。
【請求項１６】
前記少なくとも一つの開口部は長手方向で前記方向に延在している長尺穴、前記ランナー部の長手方向で延在しているランナー穴または前記方向で配列されている複数の開口を有している、請求項９に記載のリードフレームアセンブリ。
【請求項１７】
前記接着体が前記リードフレームから突出している本体部を有しており、前記本体部には複数のキャビティが形成されている、請求項９に記載のリードフレームアセンブリ。
【請求項１８】
前記接着体がシリコーンまたは樹脂を含む、請求項９に記載のリードフレームアセンブリ。
【請求項１９】
ダイシング方向で通過可能な少なくとも一つの開口部とセグメントとを備えており、前記少なくとも一つの開口部は前記セグメントを画成するとともに、前記セグメントの前記ダイシング方向での寸法が２．７ｍｍ未満であるランナー部を有している、リードフレーム。
【請求項２０】
前記セグメントの前記ダイシング方向での前記寸法が２．５ｍｍ未満である、請求項１９に記載のリードフレーム。
【請求項２１】
前記セグメントの前記ダイシング方向での前記寸法が２ｍｍ未満である、請求項１９に記載のリードフレーム。
【請求項２２】
前記セグメントの前記ダイシング方向での前記寸法が１ｍｍ未満である、請求項１９に記載のリードフレーム。
【請求項２３】
前記セグメントの前記ダイシング方向での前記寸法が前記ランナー部の厚さ以上である、請求項１９に記載のリードフレーム。
【請求項２４】
前記セグメントが前記ランナー部の外側縁部または内側縁部に隣接しており、前記リードフレームの複数のコンタクト部が前記内側縁部に接続している、請求項１９ないし２３のいずれか一項に記載のリードフレーム。
【請求項２５】
前記少なくとも一つの開口部は長手方向で前記ダイシング方向に延在している長尺穴、前記ランナー部の長手方向で延在しているランナー穴または前記ダイシング方向で配列されている複数の開口を有している、請求項２４に記載のリードフレーム。
【請求項２６】
前記少なくとも一つの開口部は長手方向で前記ダイシング方向に延在している長尺穴、前記ランナー部の長手方向で延在しているランナー穴または前記ダイシング方向で配列されている複数の開口を有している、請求項１９に記載のリードフレーム。
【請求項２７】
リードフレームと、
前記リードフレームと固接されている接着体と、を備えたリードフレームアセンブリであって、前記リードフレームが、
ダイシング方向で通過可能な少なくとも一つの開口部とセグメントとを備えており、前記少なくとも一つの開口部は前記セグメントを画成するとともに、前記セグメントの前記ダイシング方向での寸法が２．７ｍｍ未満であるランナー部を有している、リードフレームアセンブリ。
【請求項２８】
前記セグメントの前記ダイシング方向での前記寸法が２．５ｍｍ未満である、請求項２７に記載のリードフレームアセンブリ。
【請求項２９】
前記セグメントの前記ダイシング方向での前記寸法が２ｍｍ未満である、請求項２７に記載のリードフレームアセンブリ。
【請求項３０】
前記セグメントの前記ダイシング方向での前記寸法が１ｍｍ未満である、請求項２７に記載のリードフレームアセンブリ。
【請求項３１】
前記セグメントの前記ダイシング方向での前記寸法が前記ランナー部の厚さ以上である、請求項２７に記載のリードフレーム。
【請求項３２】
前記セグメントが前記ランナー部の外側縁部、前記ランナー部の内側縁部または前記接着体に隣接しており、前記リードフレームの複数のコンタクト部が前記内側縁部に接続している、請求項２７ないし３１のいずれか一項に記載のリードフレームアセンブリ。
【請求項３３】
前記少なくとも一つの開口部は長手方向で前記ダイシング方向に延在している長尺穴、前記ランナー部の長手方向で延在しているランナー穴または前記ダイシング方向で配列されている複数の開口を有している、請求項３２に記載のリードフレームアセンブリ。
【請求項３４】
前記少なくとも一つの開口部は長手方向で前記ダイシング方向に延在している長尺穴、前記ランナー部の長手方向で延在しているランナー穴または前記ダイシング方向で配列されている複数の開口を有している、請求項２７に記載のリードフレームアセンブリ。
【請求項３５】
前記接着体が前記リードフレームから突出している本体部を有しており、前記本体部には複数のキャビティが形成されている、請求項２７に記載のリードフレームアセンブリ。
【請求項３６】
前記接着体がシリコーンまたは樹脂を含む、請求項２７に記載のリードフレームアセンブリ。
【請求項３７】
前記セグメントの前記ダイシング方向での前記寸法が前記ランナー部の厚さ以上である、請求項２７ないし３０のいずれか一項に記載のリードフレームアセンブリ。
【考案の詳細な説明】
【技術分野】
【０００１】
本考案はリードフレームアセンブリおよびそのリードフレームに関する。
【背景技術】
【０００２】
発光ダイオード装置は通常発光ダイオードとリードフレームとを備えている。リードフレームは二つの電極を備えることができ、発光ダイオードは一つの電極上に配設されるとともに、二つの電極に電気的に接続することができる。発光ダイオード装置は、発光ダイオードを囲むように形成された反射カップをさらに備えてもよい。反射カップは発光ダイオードの側面方向の光を外向きに反射させることができる。
【０００３】
一般的に発光ダイオード装置の製作では、まず、リードフレーム板を製作するものであるが、リードフレーム板はアレイ配列された複数のリードフレームを備えてもよい。続いて、反射カップがリードフレーム板上に対応するように成形される（ｍｏｌｄｉｎｇ）。その後、発光ダイオードを対応するリードフレームに固定するとともに、ワイヤボンディングを経て、リードフレームの電極に電気的に接続する。その後、さらに樹脂で発光ダイオードを封止する。
【０００４】
一部発光ダイオード装置の製造工程においては、高密度のリードフレーム板が使用される。高密度のリードフレーム板において、リードフレームは小隙間の方式で密集して配列される。高密度のリードフレーム板に反射カップを成形するとき、反射カップは一体化される。
【考案の概要】
【考案が解決しようとする課題】
【０００５】
発光ダイオードの樹脂封止の後、ダイシングを行う。ダイシングに際しては、ダイシングブレードをリードフレーム板の金属ランナーから一体化されている反射カップに向けてダイシングを行う。リードフレーム板は金属製であって、一体化されている反射カップは高分子材料製である。金属および高分子材料は材質または硬度が異なることから、通常は異なるダイシング方法が必要となる。同一のダイシング方法を使用した場合、ダイシングブレードで金属部分をダイシングした後にさらに高分子材料をダイシングするとき、一体化されている反射カップが膨らむ、または接着剤が大量に残留する、または破損するなどの問題が発生しやすい。
【課題を解決するための手段】
【０００６】
上記問題に鑑み、本考案では新たなリードフレームおよびリードフレームアセンブリを開示する。
【０００７】
本考案の一実施例ではリードフレームを開示する。リードフレームは複数のコンタクト部と、ランナー部と、複数の連結部とを有している。ランナー部はセグメントと前記セグメントを画成する少なくとも一つの開口部とを有している。各連結部は少なくとも一つのコンタクト部に接続されており、このうち前記複数の連結部は延在して前記少なくとも一つの開口部および前記セグメントを通過する方向で配列されており、かつ前記セグメントの前記方向での寸法が２．７ｍｍ未満である。一実施例において、前記セグメントの前記方向での前記寸法が２ｍｍ未満である。一実施例において、前記セグメントの前記方向での前記寸法が１ｍｍ未満である。一実施例において、前記セグメントの前記方向での前記寸法が前記ランナー部の厚さ以上である。一実施例において、前記セグメントは前記ランナー部の外側縁部または内側縁部に隣接しており、このうち一部のコンタクト部が前記内側縁部に接続している。一実施例において、前記少なくとも一つの開口部は長手方向で前記方向に延在している長尺穴を有している。一実施例において、前記少なくとも一つの開口部は前記ランナー部の長手方向で延在しているランナー穴を有している。一実施例において、前記少なくとも一つの開口部は前記方向で配列されている複数の開口を有している。
【０００８】
本考案の一実施例ではリードフレームアセンブリを開示する。リードフレームアセンブリは上記したリードフレームと接着体とを備えており、このうち接着体は前記リードフレームと固接されている。
【０００９】
本考案の他の実施例ではリードフレームを開示する。前記リードフレームはランナー部を備えている。ランナー部はダイシング方向で通過可能な少なくとも一つの開口部とセグメントとを備えており、このうち前記少なくとも一つの開口部は前記セグメントを画成するとともに、前記セグメントの前記ダイシング方向での寸法が２．７ｍｍ未満である。一実施例において、前記セグメントの前記ダイシング方向での前記寸法が２．５ｍｍ未満である。一実施例において、前記セグメントの前記ダイシング方向での前記寸法が２ｍｍ未満である。一実施例において、前記セグメントの前記ダイシング方向での前記寸法が１ｍｍ未満である。一実施例において、前記セグメントの前記ダイシング方向での前記寸法が前記ランナー部の厚さ以上である。一実施例において、前記セグメントは前記ランナー部の外側縁部または内側縁部に隣接しており、このうち前記リードフレームの複数のコンタクト部が前記内側縁部に接続している。一実施例において、前記少なくとも一つの開口部は長手方向で前記ダイシング方向に延在している長尺穴を有している。一実施例において、前記少なくとも一つの開口部は前記ランナー部の長手方向で延在しているランナー穴を有している。一実施例において、前記少なくとも一つの開口部は前記ダイシング方向で配列されている複数の開口を有している。
【００１０】
本考案の他の実施例ではリードフレームアセンブリを開示する。リードフレームアセンブリは上記した他のリードフレームと接着体とを備えており、このうち前記接着体は前記他のリードフレームに固接されている。
【考案の効果】
【００１１】
上記セグメントは寸法が小さく、開口部と接着体との距離を近くするため、ダイシング時に、接着体が膨らむ、または接着体が大量に残留するなどの問題を回避できる。
【図面の簡単な説明】
【００１２】
【図１】本考案の一実施例におけるリードフレームの概略図。
【図２】図１のリードフレームの一部分拡大図。
【図３】本考案の一実施例におけるリードフレームアセンブリの概略図。
【図４】図３のリードフレームアセンブリの裏面の図。
【図５】本考案の他の実施例におけるリードフレームの概略図。
【図６】図５のリードフレームの一部分拡大図。
【図７】本考案の他の実施例におけるリードフレームアセンブリの概略図。
【図８】図７のリードフレームアセンブリの裏面の図。
【図９】本考案の他の実施例におけるリードフレームの概略図。
【図１０】図９のリードフレームの一部分拡大図。
【図１１】本考案の他の実施例におけるリードフレームの概略図。
【考案を実施するための形態】
【００１３】
以下、図面を合わせて本考案の実施例を詳述する。
【００１４】
図１は本考案の一実施例におけるリードフレーム１の概略図である。図２は図１のリードフレーム１の一部分拡大図である。図１および図２に示すように、リードフレーム１はランナー部１１と、複数のコンタクト部（１２ａおよび１２ｂ）と、複数の連結部１３とを備えている。複数のコンタクト部（１２ａおよび１２ｂ）は規則的に配列されてもよい。ランナー部１１は複数のコンタクト部（１２ａおよび１２ｂ）近傍で延在してもよい。各連結部１３は少なくとも一つのコンタクト部（１２ａまたは１２ｂ）に接続してもよい。
【００１５】
一実施例において、リードフレーム１は閉塞ランナーを備えており、閉塞ランナーは複数のコンタクト部（１２ａおよび１２ｂ）の外周を囲んでおり、コンタクト部（１２ａおよび１２ｂ）の一部は閉塞ランナーに接続されており、そしてランナー部１１は前記閉塞ランナーの一部またはランナー縁部またはランナー縁部の一部である。一実施例において、ランナー部１１は複数のコンタクト部（１２ａおよび１２ｂ）の間に延在してもよい。
【００１６】
一実施例において、リードフレーム１は発光ダイオード装置を製作するためのものであり、コンタクト部（１２ａまたは１２ｂ）は発光ダイオードの電極とされるものである。
【００１７】
一実施例において、二つのコンタクト部（１２ａおよび１２ｂ）は大きさが異なっており、面積の大きめのコンタクト部（１２ａまたは１２ｂ）は発光ダイオードを実装可能となっている。
【００１８】
図２を参照する。コンタクト部（１２ａおよび１２ｂ）は連結部１３で互いに接続されるか、またはランナー部１１に接続されている。連結部１３は複数の行および複数の列として配列してもよい。ランナー部１１は複数の第１の長尺穴１１１を有してもよい。複数の第１の長尺穴１１１は複数行の連結部１３または複数列の連結部１３に対応するように配設されている。第１の長尺穴１１１はダイシング（ｓｉｎｇｕｌａｔｉｏｎ）のための開口であって、ダイシングを行うとき、ダイシングブレードが第１の長尺穴１１１に進入する。行または列の連結部１３は延在して第１の長尺穴１１１を通過する方向４で配列されており、しかも第１の長尺穴１１１は同時に前記方向４の長手方向でも延在している。方向４はダイシングブレードがダイシングを行うダイシング方向としてもよい。
【００１９】
図２を参照する。各第１の長尺穴１１１は二つの短辺１１１１と１１１２とを有しており、このうち短辺１１１１は他方の短辺１１１２よりもコンタクト部（１２ａおよび１２ｂ）に近接している。各短辺１１１１はランナー部１１のセグメント１１２により画成されてもよい。
【００２０】
セグメント１１２はダイシング方向上で開口または開口とランナー部との境界により画成されたランナー部としての一部である。一実施例において、ランナー部１１は少なくとも一つのセグメント（１１２、１１６または１１７）を有しており、このうちダイシング時に方向４で少なくとも一つのセグメント（１１２、１１６または１１７）、対応する第１の長尺穴１１１および対応する連結部１３にまで通過する。
【００２１】
一実施例において、各第１の長尺穴１１１を画成するセグメント１１２にて対応する行または列の連結部１３の配列方向４上での寸法Ｗは２．７ｍｍ未満である。一実施例において、セグメント１１２の寸法Ｗは２．５ｍｍ未満である。一実施例において、セグメント１１２の寸法Ｗは２ｍｍ未満である。一実施例において、セグメント１１２の寸法Ｗは１ｍｍ未満である。セグメント１１２は寸法Ｗが大きめであることで、ランナー部１１にセグメント１１２にて高い剛性を持たせることができ、そしてセグメント１１２は寸法Ｗが小さめであることで、ランナー部１１上でダイシングを必要する部分を減らして、異なる二種類の材質をダイシングすることで生じる問題を低減することができる。
【００２２】
一実施例において、セグメント１１２の寸法Ｗはランナー部１１の厚さ以上である（図２と垂直となる図面上におけるランナー部１１の寸法）。一実施例において、ランナー部１１の厚さはランナー部１１上の所定ポイント上で測定した厚さである。一実施例において、ランナー部１１の厚さはランナー部１１上における複数の所定ポイント上で測定した厚さの平均値である。一実施例において、ランナー部１１の厚さはランナー部１１上における最も厚い箇所の測定値である。一実施例において、ランナー部１１の厚さはランナー部１１上における最も薄い箇所の測定値である。一実施例において、ランナー部１１の厚さはランナー部１１上における最も薄い箇所の測定値と最も厚い箇所の測定値との間である。一実施例において、ランナー部１１の厚さは０．１ないし０．５ｍｍの間である。
【００２３】
図２を参照する。一実施例において、連結部１３の配列方向４上にて、ランナー部１１の外側縁部１１４に隣接するセグメント１１７の方向４上での寸法Ｄを２．７ｍｍ未満としてもよい。一実施例において、セグメント１１７の方向４上での寸法Ｄを２．５ｍｍ未満としてもよい。一実施例において、セグメント１１７の方向４上での寸法Ｄを２ｍｍ未満としてもよい。一実施例において、セグメント１１７の方向４上での寸法Ｄを１ｍｍ未満としてもよい。一実施例において、セグメント１１７の方向４上での寸法Ｄはランナー部１１の厚さ以上である（図２と垂直となる図面上におけるランナー部１１の寸法）。大きめの距離Ｄはランナー部１１にこの箇所での高い剛性を持たせることができ、そして小さめの距離Ｄはランナー部１１上でダイシングを必要とする部分を減らして、ダイシングブレードの摩耗を減らすことができる。
【００２４】
一実施例において、方向４上での寸法Ｄはランナー部１１の厚さ以上である（図２と垂直となる図面上におけるランナー部１１の寸法）。
【００２５】
再度図２を参照する。ランナー部１１は複数の第２の長尺穴１１３を有してもよい。複数の第２の長尺穴１１３は複数の第１の長尺穴１１１に対応するように配設されており、このうちセグメント１１２は対応する第１の長尺穴１１１と第２の長尺穴１１３との間に介在されている。
【００２６】
図２を参照する。ランナー部１１は内側縁部１１５を有しており、内側縁部１１５は一部のコンタクト部（１２ａおよび１２ｂ）に接続されている。ランナー部１１に隣接する内側縁部１１５はセグメント１１６を有している。一実施例において、セグメント１１６の方向４上での寸法Ｌは２．７ｍｍ未満である。一実施例において、セグメント１１６の方向４上での寸法Ｌは２．５ｍｍ未満である。一実施例において、セグメント１１６の方向４上での寸法Ｌは２ｍｍ未満である。一実施例において、セグメント１１６の方向４上での寸法Ｌは１ｍｍ未満である。一実施例において、セグメント１１６の方向４上での寸法Ｌはランナー部１１の厚さ以上である（図２と垂直となる図面上におけるランナー部１１の寸法）。
【００２７】
リードフレーム１は導電体を有している。一実施例において、リードフレーム１は少なくとも一つの金属を含んでいる。一実施例において、リードフレーム１は鉄元素を含有している。一実施例において、リードフレーム１はニッケル元素を含有している。一実施例において、リードフレーム１は銀元素を含有している。一実施例において、リードフレーム１は銅元素を含有している。一実施例において、リードフレーム１は合金を含有している。一実施例において、リードフレーム１はニッケル・鉄合金（ｎｉｃｋｅｌ ｉｒｏｎ ａｌｌｏｙ）を含有している。一実施例において、リードフレーム１は銅合金（ｃｏｐｐｅｒ ａｌｌｏｙ）を含有している。一実施例において、リードフレーム１は例えば銅被覆ステンレス（ｃｏｐｐｅｒ ｃｌａｄ ｓｔａｉｎｌｅｓｓ ｓｔｅｅｌ）またはその他類似物であるクラッド層材料（ｃｌａｄ ｍａｔｅｒｉａｌｓ）を含んでいる。一実施例において、リードフレーム１は例えば銅めっき銀またはその他類似物を含むめっき金属材料を含んでいる。また、リードフレーム１はさらに金属以外の材料で製作してもよい。一実施例において、リードフレーム１はケイ素を含有している。
【００２８】
一実施例において、リードフレーム１の熱伝導率は４００Ｗ／ｍＫよりも高くしてもよい。一実施例において、リードフレーム１の熱伝導率は３００Ｗ／ｍＫないし４００Ｗ／ｍＫの間である。一実施例において、リードフレーム１の熱伝導率は３００Ｗ／ｍＫ未満としてもよい。
【００２９】
一実施例において、リードフレーム１は金属板をエッチングして製作されてもよい。一実施例において、リードフレーム１はプレス打ち抜きにて製作して得てもよい。
【００３０】
図３は本考案の一実施例におけるリードフレームアセンブリ３の概略図である。図３を参照する。リードフレームアセンブリ３は上記したリードフレーム１と接着体２とを備えており、このうち接着体２はリードフレーム１と固接されている。
【００３１】
接着体２は、図４における点状部分に示すように、リードフレーム１上のコンタクト部（１２ａおよび１２ｂ）の間の隙間に充填されている。一実施例において、接着体２はリードフレーム１の第２の長尺穴１１３に充填されている。一実施例において、接着体２は一部のセグメント１１２を被覆してもよい。
【００３２】
接着体２は本体部２１を有している。本体部２１はリードフレーム１から突出している。本体部２１は一体に形成してもよい（ｉｎｔｅｇｒａｌｌｙ ｆｏｒｍｅｄ）。本体部２１上には、発光ダイオードを収容可能な複数のキャビティ２１１が形成されてもよい。キャビティ２１１を画成する側壁は、発光ダイオードの発光を反射するために、斜面または曲面としてもよい。
【００３３】
接着体２は絶縁材料としてもよい。接着体２は発光ダイオードからの発光を反射するために、高い反射率（ｒｅｆｌｅｃｔｉｖｉｔｙ）を備えてもよい。接着体２は白色としてもよい。一実施例において、接着体２は樹脂（ｅｐｏｘｙ）を含んでもよい。一実施例において、接着体２はシリコーン（ｓｉｌｉｃｏｎｅ）を含んでもよい。一実施例において、接着体２は液晶ポリマー（ｌｉｑｕｉｄ ｃｒｙｓｔａｌ ｐｏｌｙｍｅｒ）、ポリイミド系高分子材料（ｐｏｌｙｉｍｉｄｅ ｂａｓｅｄ ｐｏｌｙｍｅｒ）またはその他類似物を含んでもよい。
【００３４】
一実施例において、接着体２は埋設成形（ｉｎｓｅｒｔ−ｍｏｌｄｅｄ）の工程でリードフレーム１を固着してもよい。一実施例において、接着体２は射出成形（ｉｎｊｅｃｔｉｏｎ ｍｏｌｄｉｎｇ）の工程でリードフレーム１を固着してもよい。一実施例において、接着体２はトランスファー成形（ｔｒａｎｓｆｅｒ ｍｏｌｄｉｎｇ）の工程でリードフレーム１を固着してもよい。一実施例において、接着体２は加圧成形（ｃｏｍｐｒｅｓｓｉｏｎ ｍｏｌｄｉｎｇ）の工程でリードフレーム１を固着してもよい。
【００３５】
図３を参照する。接着体２はセグメント１１２に隣接するように形成してもよい。セグメント１１２の寸法は小さく、接着体２を延在して第１の長尺穴１１１に近接させることができるため、ダイシング時に、同一のダイシング方法を用いても、接着体２が膨らむ、または接着体が大量に残留するなどの問題は発生し得ない。
【００３６】
リードフレームのランナー部上には上記した長尺穴とは異なる他の種類の開口を形成してもよい。図５は本考案の他の実施例におけるリードフレーム１’の概略図である。図６は図５のリードフレーム１’の一部分拡大図である。図７は本考案の他の実施例におけるリードフレームアセンブリ３’の概略図である。図８には図７のリードフレームアセンブリ３’の裏面を示している。図５および図６を参照する。リードフレーム１’はランナー部１１’と複数のコンタクト部（１２ａおよび１２ｂ）とを備えており、このうちコンタクト部（１２ａおよび１２ｂ）の一部は連結部１３によりランナー部１１’の内側縁部１１５に接続されている。
【００３７】
ランナー部１１’は複数のコンタクト部（１２ａおよび１２ｂ）を囲むランナーの一部またはランナーのランナー縁部またはランナーのランナー縁部の一部であってもよい。一実施例において、ランナー部１１’は複数のコンタクト部（１２ａおよび１２ｂ）の間で延在してもよい。
【００３８】
ランナー部１１’上にはランナー穴５１が形成されており、ランナー穴５１はランナー部１１’に平行する外側縁部１１４または内側縁部１１５の長手方向で延在するか、またはランナー部１１’の長手方向１０で延在している開口としてもよい（図８）。ランナー穴５１はダイシングに用いられる。つまりダイシングを行うとき、ダイシングブレードがランナー穴５１に進入して、さらにダイシング経路に沿ってダイシングを行う。
【００３９】
ランナー部１１’がランナーのランナー縁部であるとき、ランナー部１１’は、延在してダイシング範囲を含むランナー穴５１を有してもよい。他の実施例において、ランナー部１１’は複数のランナー穴５１を有してもよく、各ランナー穴５１はランナー部１１’に平行する外側縁部１１４または内側縁部１１５の長手方向で延在している。複数のランナー穴５１の長さは同一であっても、異なってもよい。複数のランナー穴５１の幅は同一であっても、異なってもよい。ランナー穴５１は外側縁部１１４または内側縁部１１５に平行する方向で整列されていても、非整列であってもよい。
【００４０】
ランナー部１１’は少なくとも一つのセグメント（１１２、１１６または１１７）を有してもよく、このうちランナー穴５１または第２の長尺穴１１３が少なくとも一つのセグメント（１１２、１１６または１１７）を画成し、かつ複数のコンタクト部（１２ａおよび１２ｂ）は延在してランナー穴５１、第２の長尺穴１１３および少なくとも一つのセグメント（１１２、１１６または１１７）を通過するダイシング方向７上で配列されている。
【００４１】
図６を参照する。ランナー穴５１はランナー部１１’の外側縁部１１４に近接させてもよい。一実施例において、ランナー穴５１とランナー部１１’の外側縁部１１４との間のセグメント１１７の方向４上での寸法Ｄが２．７ｍｍ未満である。一実施例において、セグメント１１７の方向４上での寸法Ｄが２ｍｍ未満である。一実施例において、セグメント１１７の方向４上での寸法Ｄが１ｍｍ未満である。一実施例において、セグメント１１７の方向４上での寸法Ｄがランナー部１１’の厚さ以上である。
【００４２】
図７および図８を参照する。リードフレームアセンブリ３’は上記したリードフレーム１’と接着体２とを備えており、このうちリードフレーム１’は接着体２と固接されてもよい。
【００４３】
図７を参照する。接着体２は本体部２１を有しており、本体部２１はリードフレーム１’から突出しており、本体部２１上には発光ダイオードを収容可能な複数のキャビティ２１１が形成されてもよい。キャビティ２１１を画成する側壁は、発光ダイオードの発光を反射するために、斜面または曲面としてもよい。
【００４４】
接着体２は絶縁材料としてもよい。接着体２は発光ダイオードからの発光を反射するために、高い反射率を備えてもよい。接着体２は白色としてもよい。一実施例において、接着体２は樹脂を含んでもよい。一実施例において、接着体２はシリコーンを含んでもよい。一実施例において、接着体２は液晶ポリマー、ポリイミド系高分子材料またはその他類似物を含んでもよい。
【００４５】
図９は本考案の他の実施例におけるリードフレーム１’’の概略図である。図１０は図９のリードフレーム１’’の一部分拡大図である。図９および図１０に示すように、リードフレーム１’’はランナー部１１’’を備えている。ランナー部１１’’は少なくとも一つ開口部９１と少なくとも一つのセグメント（１１２、１１６または１１７）を有してもよい。少なくとも一つ開口部９１はダイシングに用いるものであり、つまりダイシング時には、ダイシングブレードは少なくとも一つの開口部９１に沿ってダイシングを行う。ダイシング方向４にて少なくとも一つの開口部９１および少なくとも一つのセグメント（１１２、１１６または１１７）を通過することになる。一実施例において、少なくとも一つのセグメント（１１２、１１６または１１７）の方向４上での寸法（Ｗ、ＬまたはＤ）が２．７ｍｍ未満である。一実施例において、少なくとも一つのセグメント（１１２、１１６または１１７）の方向４上での寸法（Ｗ、ＬまたはＤ）が２．５ｍｍ未満である。一実施例において、少なくとも一つのセグメント（１１２、１１６または１１７）の方向４上での寸法（Ｗ、ＬまたはＤ）が２ｍｍ未満である。一実施例において、少なくとも一つのセグメント（１１２、１１６または１１７）の方向４上での寸法（Ｗ、ＬまたはＤ）が１ｍｍ未満である。一実施例において、少なくとも一つのセグメント（１１２、１１６または１１７）の方向４上での寸法（Ｗ、ＬまたはＤ）がランナー部１１’’の厚さ以上である（図２と垂直となる図面上におけるランナー部１１の寸法）。
【００４６】
一実施例において、少なくとも一つの開口部９１は複数の開口を有している。一実施例において、少なくとも一つの開口部９１は方向４に沿って配列されている複数の開口を有している。一実施例において、少なくとも一つの開口部９１は、一部の開口が他の一部の開口と大きさが異なる複数の開口を有している。一実施例において、少なくとも一つの開口部９１は大きさの異なる複数の開口を有している。一実施例において、少なくとも一つの開口部９１は、均等距離で配置されている複数の開口を有している。一実施例において、少なくとも一つの開口部９１は、不均等距離で配置されている複数の開口を有している。
【００４７】
少なくとも一つの開口部９１は複数の開口を有している。一実施例において、図１１に示すように、複数の開口はランナー穴９３を有しており、ランナー穴９３はランナー部１１’’に平行する外側縁部１１４または内側縁部１１５の長手方向で延在するか、またはランナー部１１’’の長手方向１０で延在している開口としてもよい。
【００４８】
一実施例において、少なくとも一つの開口部９１は複数の開口を有しており、このうち前記複数の開口の一部が画成するセグメント９２の方向４上での寸法が２．７ｍｍ未満である。一実施例において、セグメント９２の方向４上での寸法が２．５ｍｍ未満である。一実施例において、セグメント９２の方向４上での寸法が２ｍｍ未満である。一実施例において、セグメント９２の方向４上での寸法が１ｍｍ未満である。一実施例において、セグメント９２の方向４上での寸法がランナー部１１’’の厚さ以上である（図２と垂直となる図面上におけるランナー部１１の寸法）。
【００４９】
一実施例において、少なくとも一つのセグメント（１１２、１１６または１１７）はランナー部１１’’の外側縁部１１４に隣接するセグメント１１７を有している。
【００５０】
ランナー部１１’’は内側縁部１１５を有しており、コンタクト部（１２ａおよび１２ｂ）の一部は内側縁部１１５に接続されている。一実施例において、少なくとも一つのセグメント（１１２、１１６または１１７）はランナー部１１’’の内側縁部１１５に隣接するセグメント１１６を有している。
【００５１】
図１０を参照する。リードフレーム１’’は接着体２に固接されて、リードフレームアセンブリ３’’を形成することができる。接着体２はリードフレーム１’’上のコンタクト部（１２ａおよび１２ｂ）の間の隙間に充填されてもよい。一実施例において、接着体２は一部のセグメント１１２を被覆してもよい。
【００５２】
本考案における一実施例において、リードフレームのランナー部上には少なくとも一つの開口部が形成され、ダイシング方向における局部的なランナー部を複数のセグメントに分割することで、ダイシングを行うときに、接着体が膨らむ、または接着体が大量に残留するなどの問題が発生するのを回避する。少なくとも一部のセグメントはダイシング方向上での寸法が、例えば２．７ｍｍ以下であるという具合に所定寸法未満である。
【００５３】
本考案の技術内容および技術的特長は上記したとおりであるが、本考案の属する技術分野の当業者であれば、本考案の教示および開示に基づき、本考案の思想から乖離しない各種の置換および付加を行うことができる。よって、本考案の保護範囲は実施例に開示するものに限定されるべきではなく、本考案から乖離しない各種置換および付加であり、別紙の実用新案登録請求の範囲が包括するものが含まれるべきである。
【符号の説明】
【００５４】
１、１’、１’’  リードフレーム
２  接着体
３、３’、３’’  リードフレームアセンブリ
４  方向
７  ダイシング方向
１０  長手方向
１１、１１’、１１’’  ランナー部
１２ａ、１２ｂ  コンタクト部
１３  連結部
２１  本体部
５１、９３  ランナー穴
９１  開口部
９２、１１２、１１６、１１７  セグメント
１１１  第１の長尺穴
１１３  第２の長尺穴
１１４  外側縁部
１１５  内側縁部
２１１  キャビティ
１１１１、１１１２  短辺
【図１】
0003185995.tif 000003
【図２】
0003185995.tif 000004
【図３】
0003185995.tif 000005
【図４】
0003185995.tif 000006
【図５】
0003185995.tif 000007
【図６】
0003185995.tif 000008
【図７】
0003185995.tif 000009
【図８】
0003185995.tif 000010
【図９】
0003185995.tif 000011
【図１０】
0003185995.tif 000012
【図１１】
0003185995.tif 000013